(57)【要約】【課題】前気室と後気室との隔離を完全にする。【解決手段】外壁１ａの内側に段部１ｂを持つの環状のフレーム１の段部１ｂ上面に、外壁１ａに接するようにリング２が接合されている。外壁１ａ及び段部１ｂは複数箇所で切除されて溝部１ｃとなっている。溝部１ｃとリング２とで囲まれた部分は後気室３と外気とを通じる後方放音孔１３を成している。フレーム１に埋設されたヨーク５の中央に円盤形の永久磁石である磁石６が固定され、磁石６にはトッププレート７が固定されている。ボイスコイル９が下面に接着された振動板８の周縁部８ａには各溝部１ｃに対応して延在する拡幅部８ｂが形成されている。複数の前面放音孔１１ａが形成されたプロテクタ１１は、周縁部１１ｂが周縁部８ａ上に密着した状態で、接着剤１２により外壁１ａ及び拡幅部８ｂに接着されている。【選択図】　　　図２
2004064158.tif 000002
【特許請求の範囲】
【請求項１】
ヨークと、該ヨークを固定したフレームと、前記ヨークに固定した永久磁石と、該永久磁石に固定したトッププレートと、前記フレームに固定したリング部材と、該リング部材上に固定した振動板と、該振動板に固定したボイスコイルと、前記振動板上に固定した前記振動板を保護するプロテクタとを備えると共に、前記フレームの外壁を切除した複数の溝部を後方放音孔として形成した電気音響変換器において、前記振動板の前記溝部に対応する周縁部には前記溝部に延在するように幅を広げた複数の拡幅部を設け、該拡幅部に前記プロテクタを接着剤により接合したことを特徴とする電気音響変換器。
【請求項２】
ヨークと、該ヨークを固定したフレームと、前記ヨークに固定した永久磁石と、該永久磁石に固定したトッププレートと、前記フレームに固定したリング部材と、該リング部材上に固定した振動板と、該振動板に固定したボイスコイルと、前記振動板上に固定した前記振動板を保護するプロテクタとを備えると共に、前記フレームの外壁を切除した複数の溝部を後方放音孔として形成した電気音響変換器において、前記リングの前記溝部に対応する部分には前記溝部に延在するように幅を広げた複数の拡幅部を設け、該拡幅部に前記プロテクタを接着剤により前記リングに接合したことを特徴とする電気音響変換器。
【請求項３】
前記リング部材の前記溝部に対応する部分には前記溝部に延在するように幅を広げた複数の拡幅部を設けたことを特徴とする請求項１記載の電気音響変換器。
【発明の詳細な説明】
【０００１】
【発明の属する技術分野】
本発明は、スピーカ、レシーバなどの電気音響変換器に関する。
【０００２】
【従来の技術】
近年携帯電話などの移動通信機器の電気音響変換器として、小型薄型で性能のよい動電型スピ−カが広く用いられている。従来のこのようなスピーカの一例を図面に基づいて説明する。図７は従来の動電型スピーカ６０の平面図、図８は図７のＣ−Ｃ断面を示す断面図、図９はこのスピーカ６０のフレームとリング部材との関係を示す部分拡大斜視図、図１０は図８のＤ部の詳細を示す要部拡大断面図である。
【０００３】
まず、このスピーカ６０の構成について説明する。図７、図８において、１は外壁１ａの内側に段部１ｂを持つ環状の樹脂成形品であるフレームであり、フレーム１には図９にも示すように、外壁１ａと段部１ｂとを切り欠いた溝部１ｃが等間隔に４カ所形成されている。２はフレーム１の外壁１ａに側面を接するように段部１ｂ上面に接合された円環状のリング部材であるリングである。溝部１ｃとリング２とで、フレーム１の側面に開口する後方放音孔１３を成しており、スピーカ６０の後気室３と外気とを通じている。５はフレーム１に埋設された磁性体から成る有底円筒形のヨークである。６はヨーク５の底面中央に固定され上下に磁極を持つ円盤形の永久磁石の磁石であり、７は磁石６の他方の磁極側の面に固定された円盤形のトッププレートである。磁石６、ヨーク５そしてトッププレート７とで、磁気ギャップ１０を通る磁気回路が形成されている。
【０００４】
１８はプラスチック材料で一体成形された振動板であって、一部でくびれた略球面状を成し、周縁部１８ａは平面となっており、リング２の上面に接着固定されている。９はエナメル被覆された銅線であるコイル巻線を断面長方形に整列巻きし塗料で固めた環状の空芯コイルである励振コイルであり、その上面は振動板１８のくびれ部下面に接着固定されている。コイル９はトッププレート７周縁部とヨーク５上端部との間の間隙である磁気ギャップ１０に臨んでいる。１１はアルミニウムなどの軽金属を絞って形成された振動板１８を保護するプロテクタであり、複数の前面放音孔１１ａが形成され、周縁部１１ｂが振動板１８の周縁部１８ａ上に密着して接着剤１２により外壁１ａに接着されている。
【０００５】
次にこのスピーカの組立方法について説明する。まず、ヨーク５が埋設されたフレーム１の段部１ｂに、リング２を接合する。ヨーク５に磁石６の一方の磁極側の面を接着し、次に磁石６の他方の磁極側の面に中心位置を合わせてトッププレート７を接着固定する。一方、振動板１８のくびれ部にコイル巻き線機から外したボイスコイル９を中心位置を合わせて接着する。次ぎにリング２の上面に振動板１８を接着して、図示しない外部接続端子にボイスコイル９の端末を接続する。最後にプロテクタ１１を接着して完成する。このスピーカ６０のコイル９に音声信号が入力されると、フレミングの左手の法則に従い、振動板１８が上下に振動して音を発する。
【０００６】
【発明が解決しようとする課題】
しかしながら、前述したスピーカでは、後方放音孔１３が形成された部分の外壁１ａが切除されているために、溝部１ｃの部分のプロテクタ１１は接着剤１２によって外壁１ａに接着することができない。そこで、図１０に示すように、溝部１ｃ（後方放音孔１３）の部分でプロテクタ１１が振動板１８の周縁部１８ａに完全には密着せず、歪んだり振動板１８から浮いたりして隙間１４ができ、前気室４から外気へ音抜けが起きることがあった。このために前気室４と後気室３との完全な隔離ができないために、前気室４と後気室３との音が打ち消し合って、音が小さくなる問題が生じていた。
【０００７】
上記発明はこのような従来の問題を解決するためになされたものであり、その目的は、前気室と後気室との完全な隔離ができる電気音響変換器を提供することである。
【０００８】
【課題を解決するための手段】
前記課題を解決するための本発明の手段は、ヨークと、該ヨークを固定したフレームと、前記ヨークに固定した永久磁石と、該永久磁石に固定したトッププレートと、前記フレームに固定したリング部材と、該リング部材上に固定した振動板と、該振動板に固定したボイスコイルと、前記振動板上に固定した前記振動板を保護するプロテクタとを備えると共に、前記フレームの外壁を切除した複数の溝部を後方放音孔として形成した電気音響変換器において、前記振動板の前記溝部に対応する周縁部には前記溝部に延在するように幅を広げた複数の拡幅部を設け、該拡幅部に前記プロテクタを接着剤により接合したことを特徴とする。
【０００９】
また、前記課題を解決するための本発明の他の手段は、ヨークと、該ヨークを固定したフレームと、前記ヨークに固定した永久磁石と、該永久磁石に固定したトッププレートと、前記フレームに固定したリング部材と、該リング部材上に固定した振動板と、該振動板に固定したボイスコイルと、前記振動板上に固定した前記振動板を保護するプロテクタとを備えると共に、前記フレームの外壁を切除した複数の溝部を後方放音孔として形成した電気音響変換器において、前記リング部材の前記溝部に対応する部分には前記溝部に延在するように幅を広げた複数の拡幅部を設け、該拡幅部に前記プロテクタを接着剤により前記リング部材に接合したことを特徴とする。
【００１０】
また、前記リング部材の前記溝部に対応する部分には前記溝部に延在するように幅を広げた複数の拡幅部を設けたことを特徴とする。
【００１１】
【発明の実施の形態】
以下、本発明の実施の形態を図面に基づいて詳細に説明する。図１は本発明のの第一の実施の形態であるスピーカの平面図、図２は図１のＡ−Ａ断面を示す断面図、図３は第一の実施の形態であるスピーカの振動板の平面図、図４は図２のＢ部詳細を示す要部拡大断面図である。
【００１２】
まず、本発明の第一の実施の形態である動電型スピーカの構成を説明する。このスピーカ２０の構成は、従来のスピーカ６０に対して振動板８の形状が異なるだけである。図３に示すように、この振動板８の周縁部８ａには、フレーム１の溝部１ｃ（後方放音孔１３）に対応して延在する複数の拡幅部８ｂが形成されている。その他の構成及び組立方法は従来と同様なので、同じ構成要素には従来と同じ符号と名称を付し詳細な説明を省略する。
【００１３】
次に、第一の形態の効果について説明する。振動板８の周縁部８ａに拡幅部８ｂを設け、図１及び図４に示すように、溝部１ｃにおいては拡幅部８ｂに接着剤１２を塗布できるようにしたので、プロテクタ１１の接合に当たり、外壁１ａのある部分には勿論のこと、外壁１ａの存在しない部分に延在する拡幅部８ｂにも接着剤１２を塗布することができて、プロテクタ１１をリング２に密着させて固定することが周縁部１１ｂ全周にわたり確実に行えるようになった。従って、前気室４からの音抜けがなくなり、前気室４と後気室３との完全な隔離ができ。
【００１４】
次に、本発明の第二の実施の形態であるスピーカの構成を説明する。図５は第二の実施の形態のスピーカ３０に用いられるリング部材の平面図である。図６はスピーカ３０の要部拡大断面図である。このスピーカ３０の構成が従来と異なる部分は、リング部材の形状だけである。図５において、２２はこのスピーカ３０のリング部材であるリングであり、フレーム１の溝部１ｃ（後方放音孔１３）に対応して延在する複数の拡幅部２２ａが形成されている。そして、プロテクタ１１の接合に当たり、フレーム１の溝部１ｃにおいて、プロテクタ１１は接着剤１２によりリング２２の拡幅部２２ａと接合されている。その他の構成及び組立方法は従来と同様なので、各構成要素に従来と同じ符号と名称を付し詳細な説明を省略する。
【００１５】
次に、第二の実施の形態の効果について説明する。フレーム１の外壁１ａが切り欠かれた部分にリング２２の拡幅部２２ａを延在させたので、図６に示すように、プロテクタ１１を接着剤１２によってリング２２上面に接合することができて、プロテクタ１１は全周にわたって振動板１８の周縁部１８ａに密着して固定されるので前気室４からの音抜けが発生せず、前気室４と後気室３との完全な隔離ができた。
【００１６】
なお、第一の実施の形態のスピーカ２０において、リング２の代わりに第二の実施の形態のスピーカ３０のリング２２を用いてもよい。この場合には溝部１ｃにおいて振動板８の下面がリング２２により一層しっかりと支持されるという効果がある。
【００１７】
【発明の効果】
以上説明したように、本発明によれば、ヨークと、該ヨークを固定したフレームと、前記ヨークに固定した永久磁石と、該永久磁石に固定したトッププレートと、前記フレームに固定したリング部材と、該リング部材上に固定した振動板と、該振動板に固定したボイスコイルと、前記振動板上に固定した前記振動板を保護するプロテクタとを備えると共に、前記フレームの外壁を切除した複数の溝部を後方放音孔として形成した電気音響変換器において、前記振動板又は前気リング部材の前記溝部に対応する周縁部には前記溝部に延在するように幅を広げた複数の拡幅部を設け、該拡幅部に前記プロテクタを接着剤により前記振動板又は前記リング上に接合したので、プロテクタを接着剤によって前記拡幅部上面に接合することができて、プロテクタと振動板との隙間の発生がなくなり、前気室からの音抜けが発生せず、前気室と後気室との完全な隔離ができた。
【図面の簡単な説明】
【図１】本発明の第一の実施の形態であるスピーカの平面図である。
【図２】図１のＡ−Ａ断面を示す断面図である。
【図３】図１のスピーカの振動板の平面図である。
【図４】図２のＢ部を示す要部拡大断面図である。
【図５】本発明の第二の実施の形態のスピーカのリング部材を示す平面図である。
【図６】本発明の第二の実施の形態であるスピーカの要部拡大断面図である。
【図７】従来のスピーカの平面図である。
【図８】図７のスピーカのＣ−Ｃ断面を示す側面図である。
【図９】従来のスピーカのフレームの溝部を示す斜視図である。
【図１０】図８のＤ部を示す要部拡大断面図である。
【符号の説明】
１　フレーム
２、２２　リング
１ａ　外壁
１ｃ　後方放音孔
３　前気室
４　後気室
５　ヨーク
６　磁石
７　トッププレート
８、１８　振動板
８ａ、１８ａ、１１ｂ　周縁部
８ｂ、２２ａ　拡幅部
９　コイル
１１　プロテクタ
１２　接着剤
２０、３０　スピーカ（電気音響変換器）
【図１】
2004064158.tif 000003
【図２】
2004064158.tif 000004
【図３】
2004064158.tif 000005
【図４】
2004064158.tif 000006
【図５】
2004064158.tif 000007
【図６】
2004064158.tif 000008
【図７】
2004064158.tif 000009
【図８】
2004064158.tif 000010
【図９】
2004064158.tif 000011
【図１０】
2004064158.tif 000012
【手続補正書】
【提出日】平成15年7月28日(2003.7.28)
【手続補正１】
【補正対象書類名】明細書
【補正対象項目名】０００４
【補正方法】変更
【補正の内容】
【０００４】
図１０において、１８はプラスチック材料で一体成形された振動板であって、一部でくびれた略球面状を成し、周縁部１８ａは平面となっており、リング２の上面に接着固定されている。図８において、９はエナメル被覆された銅線であるコイル巻線を断面長方形に整列巻きし塗料で固めた環状の空芯コイルである励振コイルであり、その上面は振動板１８のくびれ部下面に接着固定されている。コイル９はトッププレート７周縁部とヨーク５上端部との間の間隙である磁気ギャップ１０に臨んでいる。１１はアルミニウムなどの軽金属を絞って形成された振動板１８を保護するプロテクタであり、複数の前面放音孔１１ａが形成され、周縁部１１ｂが振動板１８の周縁部１８ａ上に密着して接着剤１２により外壁１ａに接着されている。


【手続補正２】
【補正対象書類名】明細書
【補正対象項目名】００１１
【補正方法】変更
【補正の内容】
【００１１】
【発明の実施の形態】
以下、本発明の実施の形態を図面に基づいて詳細に説明する。図１は本発明の第一の実施の形態であるスピーカの平面図、図２は図１のＡ−Ａ断面を示す断面図、図３は第一の実施の形態であるスピーカの振動板の平面図、図４は図２のＢ部詳細を示す要部拡大断面図である。


【手続補正３】
【補正対象書類名】明細書
【補正対象項目名】００１３
【補正方法】変更
【補正の内容】
【００１３】
次に、第一の形態の効果について説明する。振動板８の周縁部８ａに拡幅部８ｂを設け、図１及び図４に示すように、溝部１ｃにおいては拡幅部８ｂに接着剤１２を塗布できるようにしたので、プロテクタ１１の接合に当たり、外壁１ａのある部分には勿論のこと、外壁１ａの存在しない部分に延在する拡幅部８ｂにも接着剤１２を塗布することができて、プロテクタ１１をリング２に密着させて固定することが周縁部１１ｂ全周にわたり確実に行えるようになった。従って、前気室４からの音抜けがなくなり、前気室４と後気室３との完全な隔離ができた。


【手続補正４】
【補正対象書類名】明細書
【補正対象項目名】００１７
【補正方法】変更
【補正の内容】
【００１７】
以上説明したように、本発明によれば、ヨークと、該ヨークを固定したフレームと、前記ヨークに固定した永久磁石と、該永久磁石に固定したトッププレートと、前記フレームに固定したリング部材と、該リング部材上に固定した振動板と、該振動板に固定したボイスコイルと、前記振動板上に固定した前記振動板を保護するプロテクタとを備えると共に、前記フレームの外壁を切除した複数の溝部を後方放音孔として形成した電気音響変換器において、前記振動板又は前記リング部材の前記溝部に対応する周縁部には前記溝部に延在するように幅を広げた複数の拡幅部を設け、該拡幅部に前記プロテクタを接着剤により前記振動板又は前記リング上に接合したので、プロテクタを接着剤によって前記拡幅部上面に接合することができて、プロテクタと振動板との隙間の発生がなくなり、前気室からの音抜けが発生せず、前気室と後気室との完全な隔離ができた。


【手続補正５】
【補正対象書類名】図面
【補正対象項目名】図１
【補正方法】変更
【補正の内容】
【図１】
2004064158.tif 000013
【手続補正６】
【補正対象書類名】図面
【補正対象項目名】図２
【補正方法】変更
【補正の内容】
【図２】
2004064158.tif 000014
【手続補正７】
【補正対象書類名】図面
【補正対象項目名】図３
【補正方法】変更
【補正の内容】
【図３】
2004064158.tif 000015
【手続補正８】
【補正対象書類名】図面
【補正対象項目名】図７
【補正方法】変更
【補正の内容】
【図７】
2004064158.tif 000016
【手続補正９】
【補正対象書類名】図面
【補正対象項目名】図８
【補正方法】変更
【補正の内容】
【図８】
2004064158.tif 000017